(57)【特許請求の範囲】
【請求項１】
湯水を貯湯する貯湯タンクと、浴槽の浴槽水を前記貯湯タンク内の湯水と熱交換して加熱する風呂熱交換器と、前記浴槽と前記風呂熱交換器とを接続する風呂往き管および風呂戻り管から成る風呂循環回路と、前記風呂循環回路に設けられ浴槽水を循環させる風呂循環ポンプと、前記風呂循環回路に接続され前記貯湯タンク内の湯水を前記浴槽へ注湯する湯張り管と、該湯張り管を開閉する開閉弁と、前記風呂循環回路に設けられ前記風呂循環ポンプが設けられた側の前記風呂循環回路のみから前記浴槽に注湯させることができる片搬送状態と、前記風呂往き管と前記風呂戻り管との両方から前記浴槽に注湯させることができる両搬送状態とに切換可能な流路切換手段とを備え、前記湯張り管から前記風呂循環回路を介して前記浴槽へ注湯を行う貯湯式給湯装置において、少なくとも前記開閉弁を閉弁し前記浴槽への注湯を停止する際は、前記流路切換手段を前記両搬送状態とし、前記開閉弁を開弁し前記浴槽への注湯を開始する際は、前記流路切換手段を前記両搬送状態とし、前記浴槽へ設定量の注湯を行う場合、注湯を開始し前記設定量より所定量少ない予め設定された第１規定量に到達するまでは、前記流路切換手段を両搬送状態とし、前記第１規定量に到達したら、前記流路切換手段を前記両搬送状態から前記片搬送状態に切り換え、前記設定量より所定量少なく前記第１規定量より所定量多い予め設定された第２規定量に到達するまでは、前記流路切換手段を片搬送状態とし、前記第２規定量に到達したら、前記流路切換手段を前記片搬送状態から前記両搬送状態に切り換え、前記設定量に到達したら、前記開閉弁を閉弁するようにしたことを特徴とする貯湯式給湯装置。
【請求項２】
湯水を貯湯する貯湯タンクと、浴槽の浴槽水を前記貯湯タンク内の湯水と熱交換して加熱する風呂熱交換器と、前記浴槽と前記風呂熱交換器とを接続する風呂往き管および風呂戻り管から成る風呂循環回路と、前記風呂循環回路に設けられ浴槽水を循環させる風呂循環ポンプと、前記風呂循環回路に接続され前記貯湯タンク内の湯水を前記浴槽へ注湯する湯張り管と、該湯張り管を開閉する開閉弁と、前記風呂循環回路に設けられ前記風呂循環ポンプが設けられた側の前記風呂循環回路のみから前記浴槽に注湯させることができる片搬送状態と、前記風呂往き管と前記風呂戻り管との両方から前記浴槽に注湯させることができる両搬送状態とに切換可能な流路切換手段とを備え、前記湯張り管から前記風呂循環回路を介して前記浴槽へ注湯を行う貯湯式給湯装置であって、前記流路切換手段を片搬送状態として前記浴槽へ注湯を行う工程を有するものにおいて、前記浴槽への注湯を停止する際は、前記流路切換手段を前記両搬送状態としてから前記開閉弁を閉弁するようにしたことを特徴とする貯湯式給湯装置。
【請求項３】
前記浴槽への注湯を開始する際は、前記流路切換手段を前記両搬送状態としてから前記開閉弁を開弁するようにしたことを特徴とする請求項２記載の貯湯式給湯装置。
【発明の詳細な説明】
【技術分野】
【０００１】
この発明は、浴槽への注湯を停止するときの圧力上昇を低減させた貯湯式給湯装置に関するものである。
【背景技術】
【０００２】
従来のこの種の貯湯式給湯装置においては、図４に示すように、湯水を貯湯する貯湯タンク１０１と、貯湯タンク１０１内の湯水を加熱する加熱手段１０２と、貯湯タンク１０１の下部に減圧弁１０３を介して接続され貯湯タンク１０１に給水する給水管１０４と、貯湯タンク１０１上部に接続された出湯管１０５と、給水管１０４から分岐した給水バイパス管１０６と、出湯管１０５からの湯と給水バイパス管１０６からの水を混合して設定温度の湯とする混合弁１０７と、混合弁１０７で混合された設定温度の湯を台所や洗面所等に設けられた給湯栓１０８に供給する給湯管１０９と、浴槽１１０と、浴槽１１０の浴槽水を貯湯タンク１０１内の湯水と熱交換させる風呂熱交換器１１１と、浴槽１１０と風呂熱交換器１１１とを接続する風呂往き管１１２および風呂戻り管１１３からなる風呂循環回路１１４と、風呂戻り管１１３に備えられ浴槽１１０の浴槽水を風呂循環回路１１４に循環させる風呂循環ポンプ１１５と、風呂熱交換器１１１をバイパスして風呂往き管１１２と風呂戻り管１１３とを接続する風呂バイパス管１１６と、風呂バイパス管１１６と風呂戻り管１１３との接続部に設けられ、風呂戻り管１１３のみから浴槽１１０に注湯させる片搬送状態と風呂往き管１１２と風呂戻り管１１３との両方から浴槽１１０に注湯させる両搬送状態とに切換可能な風呂三方弁１１７と、風呂戻り管１１３に接続され貯湯タンク１０１内の湯水を浴槽１１０へ注湯する湯張り管１１８と、湯張り管１１８を開閉する湯張り電磁弁１１９とを備え、浴槽１１０へ設定量の湯張りを行う場合、湯張り電磁弁１１９を開いて浴槽１１０への湯張りを開始し、風呂三方弁１１７を両搬送状態として浴槽１１０に注湯して、設定量より所定量少ない予め設定された規定量に達したら、風呂三方弁１１７を片搬送状態として風呂戻り管１１３のみから浴槽１１０に注湯し、設定量まで浴槽１１０に注湯したら、湯張り電磁弁１１９を閉じて浴槽１１０への湯張りを終了するものがあった。（例えば、特許文献１参照。）
【先行技術文献】
【特許文献】
【０００３】
【特許文献１】特開２００８−１２８５２８号公報
【発明の概要】
【発明が解決しようとする課題】
【０００４】
ところで、近年、住宅の２階や３階の高所であっても十分な流量で給湯ができるようにとのニーズから、減圧弁１０３の設定圧力を従来よりも高く設定するものが増えてきており、この減圧弁１０３の設定圧力を高く設定した貯湯式給湯装置において、上述のような浴槽１１０への湯張りを行った場合、浴槽１１０への注湯を終了する時は風呂三方弁１１７は片搬送状態であり、その状態で湯張り電磁弁１１９を閉じると、その瞬間、風呂戻り管１１３側にかかる圧力は水撃によって急激に上昇し、それにより風呂戻り管１１３に備えられた風呂循環ポンプ１１５等の機能部品の破損、風呂循環回路１１４を構成する配管の外れや損傷による水漏れ等が発生するおそれがあった。
【０００５】
そこで、本発明は、浴槽１１０への注湯を停止する際に風呂循環ポンプ１１５を備えた側の風呂循環回路１１４や風呂循環ポンプ１１５等の機能部品に加わる水撃による圧力を低減させ、風呂循環ポンプ１１５等の機能部品の破損、風呂循環回路１１４を構成する配管の外れや損傷による水漏れ等を防止することができる貯湯式給湯装置を提供することを目的とするものである。
【課題を解決するための手段】
【０００６】
そこで、この発明は上記課題を解決するために、特に請求項１ではその構成を、湯水を貯湯する貯湯タンクと、浴槽の浴槽水を前記貯湯タンク内の湯水と熱交換して加熱する風呂熱交換器と、前記浴槽と前記風呂熱交換器とを接続する風呂往き管および風呂戻り管から成る風呂循環回路と、前記風呂循環回路に設けられ浴槽水を循環させる風呂循環ポンプと、前記風呂循環回路に接続され前記貯湯タンク内の湯水を前記浴槽へ注湯する湯張り管と、該湯張り管を開閉する開閉弁と、前記風呂循環回路に設けられ前記風呂循環ポンプが設けられた側の前記風呂循環回路のみから前記浴槽に注湯させることができる片搬送状態と、前記風呂往き管と前記風呂戻り管との両方から前記浴槽に注湯させることができる両搬送状態とに切換可能な流路切換手段とを備え、前記湯張り管から前記風呂循環回路を介して前記浴槽へ注湯を行う貯湯式給湯装置において、少なくとも前記開閉弁を閉弁し前記浴槽への注湯を停止する際は、前記流路切換手段を前記両搬送状態とし、前記開閉弁を開弁し前記浴槽への注湯を開始する際は、前記流路切換手段を前記両搬送状態とし、前記浴槽へ設定量の注湯を行う場合、注湯を開始し前記設定量より所定量少ない予め設定された第１規定量に到達するまでは、前記流路切換手段を両搬送状態とし、前記第１規定量に到達したら、前記流路切換手段を前記両搬送状態から前記片搬送状態に切り換え、前記設定量より所定量少なく前記第１規定量より所定量多い予め設定された第２規定量に到達するまでは、前記流路切換手段を片搬送状態とし、前記第２規定量に到達したら、前記流路切換手段を前記片搬送状態から前記両搬送状態に切り換え、前記設定量に到達したら、前記開閉弁を閉弁するものとした。
【０００７】
また、請求項２では、湯水を貯湯する貯湯タンクと、浴槽の浴槽水を前記貯湯タンク内の湯水と熱交換して加熱する風呂熱交換器と、前記浴槽と前記風呂熱交換器とを接続する風呂往き管および風呂戻り管から成る風呂循環回路と、前記風呂循環回路に設けられ浴槽水を循環させる風呂循環ポンプと、前記風呂循環回路に接続され前記貯湯タンク内の湯水を前記浴槽へ注湯する湯張り管と、該湯張り管を開閉する開閉弁と、前記風呂循環回路に設けられ前記風呂循環ポンプが設けられた側の前記風呂循環回路のみから前記浴槽に注湯させることができる片搬送状態と、前記風呂往き管と前記風呂戻り管との両方から前記浴槽に注湯させることができる両搬送状態とに切換可能な流路切換手段とを備え、前記湯張り管から前記風呂循環回路を介して前記浴槽へ注湯を行う貯湯式給湯装置であって、前記流路切換手段を片搬送状態として前記浴槽へ注湯を行う工程を有するものにおいて、前記浴槽への注湯を停止する際は、前記流路切換手段を前記両搬送状態としてから前記開閉弁を閉弁するようにしたものとした。
【０００８】
また、請求項３では、前記浴槽への注湯を開始する際は、前記流路切換手段を前記両搬送状態としてから前記開閉弁を開弁するようにしたものとした。
【発明の効果】
【０００９】
この発明の請求項１によれば、少なくとも開閉弁を閉弁し浴槽への注湯を停止する際は、流路切換手段を両搬送状態としたことで、開閉弁を閉弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができ、さらに、開閉弁を開弁し浴槽への注湯を開始する際は、流路切換手段を両搬送状態としたことで、開閉弁を開弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができ、その上、浴槽へ設定量の注湯を行う場合、注湯を開始し設定量より所定量少ない予め設定された第１規定量に到達するまでは、流路切換手段を両搬送状態として、風呂往き管および風呂戻り管の両方から浴槽に注湯することで、注湯開始時の開閉弁を開弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができると共に、注湯時間の短縮ができ、第１規定量に到達したら、流路切換手段を両搬送状態から片搬送状態に切り換え、設定量より所定量少なく第１規定量より所定量多い予め設定された第２規定量に到達するまでは、流路切換手段を片搬送状態として、風呂戻り管のみから浴槽に注湯することで、風呂循環ポンプ等の近傍に残存するエアを押し出して風呂戻り管のエア抜きが確実に行われ、第２規定量に到達したら、流路切換手段を片搬送状態から両搬送状態に切り換え、設定量に到達したら、流路切換手段を両搬送状態としたままで開閉弁を閉弁することで、開閉弁を閉弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができるものである。
【００１０】
また、請求項２によれば、流路切換手段を片搬送状態として浴槽へ注湯を行う工程を有するものにおいて、浴槽への注湯を停止する際は、流路切換手段を両搬送状態としてから開閉弁を閉弁するようにしたことで、開閉弁を閉弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができるものである。
【００１１】
また、請求項３によれば、浴槽への注湯を開始する際は、流路切換手段を両搬送状態としてから開閉弁を開弁するようにしたことで、開閉弁を開弁した瞬間に生じる水撃による圧力上昇を風呂往き管および風呂戻り管の両方に分散させ低減させることができ、風呂循環ポンプ等の機能部品の破損、風呂循環回路を構成する配管の外れや損傷による水漏れを防止することができるものである。
【図面の簡単な説明】
【００１２】
【図１】この発明の貯湯式給湯装置の一実施形態の概略構成図。
【図２】同一実施形態の風呂三方弁の動作説明図。
【図３】同一実施形態の湯張り動作を示すフローチャート。
【図４】従来の貯湯式給湯装置の概略構成図。
【発明を実施するための形態】
【００１３】
次に、本発明の一実施形態について図１に基づき説明する。
１は湯水を貯湯する貯湯タンク２を有した貯湯タンクユニット、３は台所や洗面所等に設けられた給湯栓、４はこの貯湯式給湯装置を遠隔操作するリモコン、５は浴槽である。
【００１４】
６は貯湯タンク２の下部に接続され貯湯タンク２に給水する給水管、７は給水管６途中に設けられ給水圧を所定の圧力まで減圧する減圧弁で、ここでは減圧弁７の設定圧力を２６０ｋＰａの高圧設定とする。また、８は貯湯タンク２の上部に接続され貯湯タンク２の上部から高温の湯を取り出す出湯管である。
【００１５】
９は減圧弁７より下流側で給水管６から分岐した第１給水バイパス管、１０は出湯管８からの高温の湯と第１給水バイパス管９からの水とを設定温度になるように内部の弁体（図示せず）の弁開度を調整して混合する給湯混合弁、１１は給湯混合弁１０で混合された湯を給湯栓３に供給する給湯管、１２は給湯混合弁１０で混合後の湯の温度を検出する給湯温度センサ、１３は給湯流量をカウントする給湯流量センサである。
【００１６】
１４は貯湯タンク２内の上部に配置され、浴槽５の浴槽水を貯湯タンク２内の湯水と熱交換して加熱するためのステンレス製の蛇管よりなる風呂熱交換器、１５は浴槽５と風呂熱交換器１４とを接続する風呂往き管１６および風呂戻り管１７から成る風呂循環回路、１８は風呂戻り管１７に備えられ、浴槽５内の浴槽水を風呂戻り管１７を介して風呂熱交換器１４に送り、風呂熱交換器１４を通過した浴槽水を風呂往き管１６を介して浴槽５内に戻すよう循環させる風呂循環ポンプである。
【００１７】
１９は風呂戻り管１７に設けられ流水の有無を検知する流水スイッチ、２０は風呂戻り管１７に設けられ浴槽５から流出し風呂熱交換器１４に流入する浴槽水の温度を検出する風呂温度センサ、２１は風呂戻り管１７の浴槽５に近い位置に設けられ浴槽水の水圧から浴槽５内の水位を検出する水位検出手段としての水位センサである。
【００１８】
２２は風呂熱交換器１４をバイパスして風呂往き管１６と風呂戻り管１７とを接続する風呂バイパス管、２３は風呂バイパス管２２と風呂戻り管１７との接続部に設けられ、風呂戻り管１７のみから浴槽５に注湯させる片搬送状態と風呂往き管１６と風呂戻り管１７との両方から浴槽５に注湯させる両搬送状態とに切換可能な電動三方弁よりなる流路切換手段としての風呂三方弁である。
【００１９】
前記風呂三方弁２３は、流入側の接続口２３ａに風呂戻り管１７の浴槽５側を接続し、２つの流出側の接続口２３ｂ、２３ｃのうち、一方の接続口２３ｂには風呂熱交換器１４の入口側を接続し、他方の接続口２３ｃには風呂バイパス管２２を接続し、電動モータ（図示せず）の駆動で内方の弁体を動かして、図２（ア）に示すように、風呂戻り管１７の浴槽５側と風呂バイパス管２２側を連通し風呂熱交換器１４の入口側を閉塞することで、風呂往き管１６と風呂戻り管１７との両方から浴槽５に注湯させることができる両搬送状態と、図２（イ）に示すように、風呂戻り管１７の浴槽５側と風呂熱交換器１４の入口側を連通し風呂バイパス管２２側を閉塞することで、風呂往き管１６と風呂戻り管１７との両方から浴槽５に注湯させることができる両搬送状態と、図２（ウ）に示すように、風呂戻り管１７の浴槽５側を閉塞し、風呂戻り管１７のみから浴槽５に注湯させることができる片搬送状態とに少なくとも切換可能なものである。
【００２０】
２４は出湯管８から分岐した風呂出湯管、２５は第１給水バイパス管９から分岐した第２給水バイパス管、２６は風呂出湯管２４からの高温の湯と第２給水バイパス管２５からの水とを設定温度になるように内部の弁体（図示せず）の弁開度を調整して混合する風呂混合弁、２７は風呂循環ポンプ１８の配設位置よりも風呂熱交換器１４側で、且つ風呂三方弁２３の配設位置よりも浴槽５側の風呂戻り管１７に接続され、貯湯タンク２内の湯水を浴槽５へ注湯する湯張り管、２８は湯張り管２７を開閉し浴槽５への注湯の開始、停止を行う開閉弁としての湯張り電磁弁、２９は浴槽５への注湯量をカウントする風呂流量センサ、３０は浴槽５の浴槽水が逆流するのを防止する二重に配設した逆止弁である。
【００２１】
３１は貯湯タンク２内の湯水を加熱する加熱手段としての電熱ヒータである。ここでは、加熱手段の一例として電熱ヒータを適用したが、加熱手段はヒートポンプ式の加熱手段、灯油やガスを燃料とする燃焼バーナであってもよいものである。
【００２２】
３２は貯湯タンクユニット１内の給湯温度センサ１２、給湯流量センサ１３、流水スイッチ１９、風呂温度センサ２０、水位センサ２１、風呂流量センサ２９の入力を受け、給湯混合弁１０、風呂循環ポンプ１８、風呂三方弁２３、風呂混合弁２６、湯張り電磁弁２８の駆動を制御する制御手段で、この制御手段３２はリモコン４と無線または有線により通信可能に接続されているものである。
【００２３】
前記リモコン４は、給湯設定温度を設定する給湯温度設定スイッチ３３と、風呂設定温度を設定する風呂温度設定スイッチ３４と、浴槽５へ風呂設定温度の湯をリモコン４の湯張り量設定スイッチ（図示せず）で設定された湯張り設定量を注湯する湯張り運転を指示する湯張りスイッチ３５とが設けられているものである。
【００２４】
次に、図１に示した貯湯式給湯装置の湯張り運転時の動作を、図３に示したフローチャートを用いて説明する。
【００２５】
前記リモコン４の湯張りスイッチ３５がユーザにより操作されると、まず、風呂循環ポンプ１８の起動に必要な呼び水を供給する呼び水工程が開始され、制御手段３２は、風呂三方弁２３を図２（ア）に示すように、風呂戻り管１７の浴槽５側と風呂バイパス管２２側を連通し風呂熱交換器１４の入口側を閉塞して、風呂往き管１６と風呂戻り管１７との両方から浴槽５に注湯させることができる両搬送状態とし（ステップＳ１）、続いて、制御手段３２は、湯張り電磁弁２８を開弁させて注湯を開始させ（ステップＳ２）、その直後に風呂三方弁２３の弁体を電動モータによって回動して、図２（ア）に示すような両搬送状態から、図２（ウ）に示すような、風呂戻り管１７の浴槽５側を閉塞し、風呂戻り管１７のみから浴槽５に注湯させることができる片搬送状態に徐々に切り換えるものである（ステップＳ３）。なお、湯張り電磁弁２８が開弁されると、風呂混合弁２６で風呂設定温度に混合された湯が湯張り管２７を介して風呂循環回路１５に注湯されていくものである。
【００２６】
そして、制御手段３２は、風呂流量センサ２９で検出した湯量の積算値から、注湯開始して所定量、例えば３Ｌ注湯したか否か判断し（ステップＳ４）、所定量注湯したと判断すると、風呂循環ポンプ１８への呼び水および風呂戻り管１７のエア抜きが完了したと判断し、風呂三方弁２３を片搬送状態から図２（ア）に示すような両搬送状態に戻し（ステップＳ５）、その後に湯張り電磁弁２８を閉弁させ（ステップＳ６）、呼び水工程を終了するものである。
【００２７】
前記呼び水工程が終了すると、制御手段３２は、風呂循環ポンプ１８を一定時間駆動して、その間に流水スイッチ１９で流水の有無をチェックする（ステップＳ７）。流水がない場合は浴槽５内に湯がない状態なので、風呂三方弁２３を両搬送状態としたまま湯張り電磁弁２８を開弁し（ステップＳ８）、湯張り設定量、例えば１８０Ｌの注湯を開始する。
【００２８】
湯張り電磁弁２８が開弁されると、風呂往き管１６と風呂戻り管１７との両方から浴槽５に注湯し、制御手段３２は、風呂流量センサ２９で検出した湯量の積算値から、湯張り設定量より所定量少ない予め設定された第１規定量、例えば１７０Ｌまで注湯したか否か判断し（ステップＳ９）、第１規定量まで注湯したと判断すると、風呂三方弁２３の弁体を電動モータによって回動して、両搬送状態から図２（ウ）に示すような片搬送状態とし（ステップＳ１０）、浴槽５への注湯を風呂戻り管１７のみに切り換えるものである。
【００２９】
続いて、制御手段３２は、風呂流量センサ２９で検出した湯量の積算値から、湯張り設定量より所定量少なく前記第１規定量より所定量多い予め設定された第２規定量、例えば１７８Ｌまで注湯したか否か判断し（ステップＳ１１）、第２規定量まで注湯したと判断すると、風呂三方弁２３の弁体を電動モータによって回動して、片搬送状態から図２（ア）に示すような両搬送状態とし（ステップＳ１２）、風呂往き管１６と風呂戻り管１７との両方から浴槽５へ注湯を行い、風呂流量センサ２９で検出した湯量の積算値から、湯張り設定量まで注湯したか否か判断し（ステップＳ１３）、湯張り設定量まで注湯したと判断したら、湯張り電磁弁２８を閉弁させ（ステップＳ１４）、湯張り運転を終了するものである。
【００３０】
以上説明した湯張り運転時において、前記ステップＳ６または前記ステップＳ１４で、湯張り電磁弁２８を閉弁して浴槽５への注湯を停止する際、その前段として前記ステップＳ５またはステップＳ１２で、風呂三方弁２３を両搬送状態とし、風呂三方弁２３を両搬送状態としてから湯張り電磁弁２８を閉弁するようにしたことで、減圧弁７の設定圧力が高圧設定のものであっても、湯張り電磁弁２８を閉弁した瞬間に生じる水撃による圧力の急下降および圧力の急上昇といった圧力変動を風呂往き管１６および風呂戻り管１７の両方に分散させ低減させることができ、風呂循環ポンプ１８や水位センサ２１等の機能部品の破損、風呂循環回路１５を構成する配管の外れや損傷による水漏れを防止することができるものである。
【００３１】
また、前記ステップＳ２または前記ステップＳ８で、湯張り電磁弁２８を開弁して浴槽５への注湯を開始する際、その前段として前記ステップＳ１または前記ステップＳ５で、風呂三方弁２３を両搬送状態とし、風呂三方弁２３を両搬送状態としてから湯張り電磁弁２８を開弁するようにしたことで、減圧弁７の設定圧力が高圧設定のものであっても、湯張り電磁弁２８を開弁した瞬間に生じる水撃による圧力上昇を風呂往き管１６および風呂戻り管１７の両方に分散させ低減させることができ、風呂循環ポンプ１８や水位センサ２１等の機能部品の破損、風呂循環回路１５を構成する配管の外れや損傷による水漏れを防止することができるものである。
【００３２】
また、制御手段３２は、前記ステップＳ２で湯張り電磁弁２８を開弁した直後に、前記ステップＳ３で風呂三方弁２３の弁体を電動モータによって回動させ、図２（ア）に示すような両搬送状態から、図２（ウ）に示すような片搬送状態に徐々に切り換えることで、風呂循環ポンプ１８を備えた風呂戻り管１７に急に圧力が加わるのを防止することができ、さらに、片搬送状態で所定量注湯することで、風呂戻り管１７を流れる湯水の圧力を高くすると共に流量を多くして、風呂循環ポンプ１８に確実に呼び水を行うことができるものである。
【００３３】
また、浴槽５へ設定量の注湯を行う場合、浴槽５への注湯を開始し設定量より所定量少ない予め設定された第１規定量までは、風呂三方弁２３を両搬送状態として、設定量のうち大部分を風呂往き管１６および風呂戻り管１７の両方から浴槽５に注湯することで、減圧弁７の設定圧力が高圧設定のものであっても、注湯開始時の湯張り電磁弁２８を開弁した瞬間に生じる水撃による圧力上昇を風呂往き管１６および風呂戻り管１７の両方に分散させ低減させることができ、風呂循環ポンプ１８や水位センサ２１等の機能部品の破損、風呂循環回路１５を構成する配管の外れや損傷による水漏れを防止することができると共に、注湯時間の短縮ができ、前記第１規定量に到達したら、風呂三方弁２３を両搬送状態から片搬送状態に切り換え、設定量より所定量少なく第１規定量より所定量多い予め設定された第２規定量に到達するまでは、風呂三方弁２３を片搬送状態として、風呂戻り管１７のみから浴槽５に注湯することで、風呂循環ポンプ１８や水位センサ２１近傍に残存するエアを押し出して風呂戻り管１７のエア抜きが確実に行われ、エア混入による水位センサ２１による水位誤検出を防止することができ、前記第２規定量に到達したら、風呂三方弁２３を片搬送状態から両搬送状態に切り換え、設定量に到達したら、風呂三方弁２３を両搬送状態としたままで湯張り電磁弁２８を閉弁することで、減圧弁７の設定圧力が高圧設定のものであっても、湯張り電磁弁２８を開弁した瞬間に生じる水撃による圧力上昇を風呂往き管１６および風呂戻り管１７の両方に分散させ低減させることができ、風呂循環ポンプ１８や水位センサ２１等の機能部品の破損、風呂循環回路１５を構成する配管の外れや損傷による水漏れを防止することができるものである。
【００３４】
なお、本発明は先に説明した一実施形態に限定されるものではなく、本実施形態では、湯張り運転時において、風呂三方弁２３を図２（ア）に示すような両搬送状態としたが、風呂三方弁２３を、図２（イ）に示すような両搬送状態としてもよいものであり、本発明の要旨を変更しない範囲で様々な変形が可能であり、これを妨げるものではない。
【００３５】
また、本実施形態では、湯張り運転時を例として説明したが、湯張り運転時に限らず、たし湯や高温差し湯のような浴槽５へ設定量の注湯動作を行うものに本発明を適用してもよく、その場合であっても、湯張り電磁弁２８を閉弁して浴槽５への注湯を停止する際または湯張り電磁弁２８を開弁して浴槽５への注湯を開始する際は、風呂三方弁２３を両搬送状態としてから湯張り電磁弁２８を閉弁または開弁することで、減圧弁７の設定圧力が高圧設定のものであっても、湯張り電磁弁２８を開弁した瞬間に生じる水撃による圧力上昇を風呂往き管１６および風呂戻り管１７の両方に分散させ低減させることができ、風呂循環ポンプ１８や水位センサ２１等の機能部品の破損、風呂循環回路１５を構成する配管の外れや損傷による水漏れを防止することができ、さらに、設定量より所定量少ない予め設定された第１規定量までは、風呂三方弁２３を両搬送状態として、設定量のうち大部分を風呂往き管１６および風呂戻り管１７の両方から浴槽５に注湯することで、注湯時間の短縮ができ、前記第１規定量に到達したら、風呂三方弁２３を両搬送状態から片搬送状態に切り換え、風呂戻り管１７のみから浴槽５に注湯することで、風呂循環ポンプ１８や水位センサ２１近傍に残存するエアを押し出して風呂戻り管１７のエア抜きが確実に行われ、エア混入による水位センサ２１による水位誤検出を防止することができるものである。
【符号の説明】
【００３６】
２  貯湯タンク
５  浴槽
１４  風呂熱交換器
１５  風呂循環回路
１６  風呂往き管
１７  風呂戻り管
１８  風呂循環ポンプ
２３  風呂三方弁
２７  湯張り管
２８  湯張り電磁弁
【図１】
0005763496.tif 000002
【図２】
0005763496.tif 000003
【図３】
0005763496.tif 000004
【図４】
0005763496.tif 000005